Podtech/llm-jp-corpus-v4-ja_patent huggingface dataset:
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
少なくとも１つのシリンダー（１１２）とシリンダー（１１２）内において滑動可能なピストン（２１２）とを備える内燃機関（１１０）を操作する方法において、
加圧空気と再循環排ガスの混合物を吸気マニフォルド（１１４）からシリンダー（１１２）内の燃焼室（２０６）の吸気孔（２０８）に供給すること、
実質的にピストン（２１２）の圧縮行程の大部分の間、加圧空気と排ガスの混合物を燃焼室（２０６）と吸気マニフォルド（１１４）との間に流入させるように、カム（２３４）によって吸気弁（２１８）を開いて、可変吸気弁閉鎖機構（２３８）によって吸気弁（２１８）の開きを保持すること、及び
吸気弁（２１８）が閉鎖した後、燃料を燃焼室（２０６）に噴射するように、燃料供給システム（２０２）を操作可能に制御すること
を含む方法。
【請求項２】
前記選択的に操作することは、吸気弁（２１８）を開状態に保つように、可変吸気弁閉鎖機構（２３８）を操作することを含む、請求項１に記載の方法。
【請求項３】
吸気弁（２１８）の選択的な操作は、少なくとも１つのエンジン状態に基づく、請求項１に記載の方法。
【請求項４】
前記選択的に操作することは、吸気弁（２１８）がピストン（２１２）の圧縮行程の後半の一部にわたって開状態に維持されるように、吸気弁（２１８）を操作することを含む、請求項１に記載の方法。
【請求項５】
圧縮行程の一部の間、燃料の少なくとも一部を噴射することをさらに含む、請求項１に記載の方法。
【請求項６】
燃料の少なくとも一部を噴射することは、主噴射の前に、所定のクランク角でパイロット噴射を行なうことを含む、請求項５に記載の方法。
【請求項７】
加圧空気と再循環排ガスの混合物を供給することは、ある量の排ガスを排ガス再循環（ＥＧＲ）システム（８０４）から制御可能にもたらすことを含む、請求項１に記載の方法。
【請求項８】
可変圧縮比内燃機関（１１０）において、
少なくとも１つのシリンダー（１１２）を画成するエンジンブロック（１１１）と、
前記エンジンブロック（１１１）に接続されたヘッド（２２０）であって、吸気孔（２０８）と排気孔（２１０）とを備えるヘッド（２２０）と、
各シリンダー（１１２）内において滑動可能なピストン（２１２）と、
前記ヘッド（２２０）、前記ピストン（２１２）、及び前記シリンダ（１１２）によって画成される燃焼室（２０６）と、
吸気孔（２０８）を開閉するように制御可能に移動可能な吸気弁（２１８）と、
吸気孔（２０８）に流体的に接続された少なくとも１つのターボチャージャー（１２０、１４０）を備える給気システム（１００）と、
排ガスの一部を排気孔（２１０）から給気システム（１００）に制御可能にもたらすように操作可能な排ガス再循環（ＥＧＲ）システム（８０４）と、
燃料を燃焼室（２０６）内に選択されたタイミングで制御可能に噴射するように操作可能な燃料供給システム（２０２）と、
吸気弁（２１８）を開くように構成されるカム（２３４）と、
吸気弁（２１８）の開きを保持するように構成される可変吸気弁閉鎖機構（２３８）と
を備える可変圧縮比内燃機関。
【請求項９】
吸気弁（２１８）が圧縮行程の後半の一部にわたって開状態に維持されるように、吸気弁（２１８）を操作するように構成された制御装置（２４４）をさらに備える、請求項８に記載の内燃機関（１１０）。
【請求項１０】
ＥＧＲシステム（８０４）は、低圧ループＲＧＲシステム（８０４）である、請求項８に記載の内燃機関（１１０）。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
少なくとも１つの制御カム（４．１）と、追加カム（４．２）と、ロッカアーム軸（２）に回転可能に取り付けられた第一ロッカアーム（２．１）と第二ロッカアーム（２．２）を有し、前記第一ロッカアーム（２．１）が少なくとも第一シリンダ弁（３．１）と能動的に作用し、少なくとも前記追加カム（４．２）が前記第二ロッカアーム（２．２）と能動的に作用し、前記第二ロッカアーム（２．２）が作動要素（５）を介して前記第一ロッカアーム（２．１）との力の伝達経路の中に置かれた内燃機関のバルブ駆動装置において、
前記制御カム（４．１）が前記第二ロッカアーム（２．２）と能動的に作用することを特徴とする内燃機関のバルブ駆動装置。
【請求項２】
前記作動要素（５）が前記第一ロッカアーム（２．１）と前記第二ロッカアーム（２．２）の間に作用する力の方向に相当する作用方向を有し、前記作用方向が前記ロッカアーム軸（２）の中心軸（２．３）に垂直で、そこから或る距離に前記作動要素（５）が配置されることを特徴とする請求項１に記載の内燃機関のバルブ駆動装置。
【請求項３】
前記作動要素（５）により前記ロッカアーム軸（２）上における回転運動に関して調整可能な遊動角αが、前記第一ロッカアーム（２．１）及び前記第二ロッカアーム（２．２）の間に設けられることを特徴とする請求項１に記載の内燃機関のバルブ駆動装置。
【請求項４】
前記作動要素（５）は可動ピストンであり、加圧媒体用の制御ライン（６）及び制御弁（７）に接続されることを特徴とする請求項１〜３のいずれか一項に記載の内燃機関のバルブ駆動装置。
【請求項５】
前記制御ライン（６）が、バイパスラインの割り当てられているチェック弁（８）を有することを特徴とする請求項４に記載の内燃機関のバルブ駆動装置。
【請求項６】
前記可動ピストンが、前記制御ラインに接続された加圧媒体シリンダ（９）の内部に配置され、前記可動ピストンが前記第一ロッカアーム（２．１）に対して間接的又は直接的に第一の前端（５．１）で当接可能であることを特徴とする請求項４又は５に記載の内燃機関のバルブ駆動装置。
【請求項７】
前記加圧媒体中での圧縮力に対抗する復元要素（１０）が前記加圧媒体シリンダ（９）内部の前記可動ピストンに割り当てられることを特徴とする請求項６に記載の内燃機関のバルブ駆動装置。
【請求項８】
前記第一ロッカアーム（２．１）が前記ロッカアーム軸（２）又は前記第二ロッカアーム（２．２）に回転可能に取り付けられることを特徴とする請求項１〜７のいずれか一項に記載の内燃機関のバルブ駆動装置。
【請求項９】
前記第一ロッカアーム（２．１）、前記作動要素（５）、及び前記第二ロッカアーム（２．２）が接触ユニットを形成することを特徴とする請求項１〜８のいずれか一項に記載の内燃機関のバルブ駆動装置。
【請求項１０】
前記制御カム（４．１）が前記第一ロッカアーム（２．１）と能動的に作用し、前記追加カム（４．２）第二ロッカアーム（２．２）と能動的に作用することを特徴とする請求項１〜９のいずれか一項に記載の内燃機関のバルブ駆動装置。
【手続補正２】
【補正対象書類名】明細書
【補正対象項目名】発明の名称
【補正方法】変更
【補正の内容】
【発明の名称】内燃機関のバルブ駆動装置
【手続補正３】
【補正対象書類名】明細書
【補正対象項目名】０００１
【補正方法】変更
【補正の内容】
【０００１】
本発明は少なくとも１つの制御カム、１つの追加カム、ロッカアーム軸に回転可能に取り付けられる第一ロッカアーム及び第二ロッカアームを有し、第一ロッカアームが少なくとも１つの第一シリンダ弁と能動的に接触し、少なくとも追加カムが第二ロッカアームと能動的に接触し、そして第二ロッカアームが作動要素によって第一ロッカアームとの力の伝達が可能なピストン式の内燃機関のバルブ駆動装置に関する。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
ａ）式
【化１】
2006514133.tif 000001
（式中、ＸはＨ、アルキル基、シクロアルキル基、複素環基、アレーニル基、アリール基、ニトリル、アシル基またはラジカル開始剤の残基であり、Ｒ1はＨ、アルキル基、シクロアルキル基、複素環基、アレーニル基またはアリール基であり、−ＯＮ（Ｒ2）2は有機ニトロキシドの残基であり、Ｒ3およびＲ4はそれぞれ独立してアルキル基、シクロアルキル基、アリール基およびアレーニル基から選択されるか、またはＲ3およびＲ4は、Ｒ3およびＲ4が結合している炭素と一緒になって炭素環を形成しており、Ｑは共有結合、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ6−（ＣＨ2）o−および−ＣＯ−Ｓ−（ＣＨ2）o−から選択された連結基であり、ここで、ｏは１〜１２であり、Ｒ6はＨ、アルキル基、シクロアルキル基、アレーニル基、複素環基またはアリール基であり、各ｎは０または１であり、ｑは０または１であり、ｍは０〜２０である）により表される化合物、
を含む制御されたラジカル重合用開始剤。
【請求項２】
ｍは０であり、ＸはＨ、アルキル基、シクロアルキル基、複素環基、アレーニル基、アリール基、ニトリルまたはアシル基である、請求項１に記載のモノマー開始剤。
【請求項３】
ｍは１〜２０であり、Ｘはラジカル開始剤の残基であり、Ｘ−（ＣＨ2）q−のｑは１である、請求項１に記載のオリゴマー開始剤。
【請求項４】
有機ニトロキシドの残基−ＯＮ（Ｒ2）2は、式
【化２】
2006514133.tif 000002
（式中、Ｒ7はアルキル基、シクロアルキル基、アレーニル基、複素環基またはアリール基であり、Ｒ8およびＲ9は独立してＨ、またはアルキル基、シクロアルキル基、アレーニル基、複素環基、アリール基であり、Ｒ7およびＲ8またはＲ8およびＲ9は一緒になって炭素環を形成していてもよい）により表されるものである、請求項１に記載の開始剤。
【請求項５】
１種以上のオレフィン系不飽和モノマーを付加重合する方法であって、請求項１に記載の開始剤を用いて１種以上のオレフィン系不飽和モノマーを付加重合することを含む方法。
【請求項６】
前記開始剤は、１０-4Ｍ〜１Ｍの濃度で存在する、請求項５に記載の方法。
【請求項７】
開始剤とモノマーのモル比は、開始剤対モノマー１０-4：１〜１０-1：１である、請求項５に記載の方法。
【請求項８】
１種以上のラジカル（共）重合性モノマーの重合済み単位、
第１のアズラクトン末端基、および
有機ニトロキシドの残基である第２の末端基、
を含むテレケリック（コ）ポリマー。
【請求項９】
構造Ａｚ−（Ｍ1）x（Ｍ2）x−（Ｍ3）x・・・（ＭΩ）x−ＯＮ（Ｒ2）2
（式中、ＯＮ（Ｒ2）2は有機ニトロキシドの残基であり、Ｍ1〜ＭΩはそれぞれ平均重合度ｘを有するラジカル（共）重合性モノマー単位から誘導されたモノマー単位の各ポリマーブロックであり、各ｘは独立しており、ＯＮ（Ｒ2）2は有機ニトロキシドの残基であり、Ａｚは、式
【化３】
2006514133.tif 000003
（式中、ＸはＨ、アルキル基、シクロアルキル基、複素環基、アレーニル基、アリール基、ニトリル、アシル基またはラジカル開始剤の残基であり、Ｒ1はＨ、アルキル基、シクロアルキル基、複素環基、アレーニル基またはアリール基であり、Ｒ3およびＲ4はそれぞれ独立してアルキル基、シクロアルキル基、アリール基およびアレーニル基から選択されるか、またはＲ3およびＲ4は、Ｒ3およびＲ4が結合している炭素と一緒になって炭素環を形成しており、Ｑは共有結合、（−ＣＨ2−）o、−ＣＯ−Ｏ−（ＣＨ2）o−、−ＣＯ−Ｏ−（ＣＨ2ＣＨ2Ｏ）o−、−ＣＯ−ＮＲ6−（ＣＨ2）o−および−ＣＯ−Ｓ−（ＣＨ2）o−から選択された連結基であり、ここで、ｏは１〜１２であり、Ｒ6はＨ、アルキル基、シクロアルキル基、アレーニル基、複素環基またはアリール基であり、各ｎは０または１であり、ｍは０〜２０である）により表されるアズラクトン基である）を有する、請求項８に記載の（コ）ポリマー。
【請求項１０】
請求項１〜４のいずれか１項に記載の開始剤を調製する方法であって、
ａ．ラジカル開始剤でビニルアズラクトンを開始させる工程、および
ｂ．生成したアズラクトンラジカルを有機ニトロキシドラジカルで捕捉する工程、
を含む方法。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
（ａ）チッソ含有硬化部位モノマーから誘導された共重合単位を含むフルオロポリマーと、
（ｂ）ＮＨ2置換基と、水素以外の少なくとも１つの追加の置換基とを有する芳香族硬化化合物であって、該置換基の正味効果が電子求引性ではなく、該硬化剤が約１２より上のｐＫａを有し、１つもしくはそれ以上のヘテロ原子を含有してもよい化合物（ただし、水素に直接結合したいかなるヘテロ原子も該ＮＨ2置換基のオルト位になく、そして１つもしくはそれ以上追加の置換基が一緒になって、芳香族であってもよい、かつ、１つもしくはそれ以上のヘテロ原子を含んでもよい環を形成してもよい）とを含む組成物。
【請求項２】
前記フルオロポリマーが（ｉ）テトラフルオロエチレンと；（ｉｉ）フッ素化コモノマーと；（ｉｉｉ）１つもしくはそれ以上のパーフルオロビニルエーテルと；（ｉｖ）それらの組み合わせとから誘導された共重合単位を含む、請求項１に記載の組成物。
【請求項３】
前記フルオロポリマーがパーフッ素化されている、請求項１に記載の組成物。
【請求項４】
前記窒素含有硬化部位モノマーがニトリル硬化部位モノマーである、請求項１に記載の組成物。
【請求項５】
前記硬化化合物が、前記アミノ基のオルト位のＲ基であって、環状であってもよい、かつ、ヘテロ原子を含有してもよい、アルキル、アルケニル、アリール、またはそれらの組合せであるＲ基に直接結合したヘテロ原子を含有する、請求項１に記載の組成物。
【請求項６】
前記ヘテロ原子が、（ｉ）２つのＲ基に結合している窒素である；（ｉｉ）酸素であり、Ｒ基がＣ１〜Ｃ５アルキルである；（ｉｉｉ）チッソであり、Ｒ基がそれぞれ独立してＣ１〜Ｃ５アルキルである；および（ｉｖ）それらの組み合わせである、からえらばれる請求項５に記載の組成物。
【請求項７】
前記硬化剤が、（ｉ）メトキシ置換モノ−およびビス−アミノ置換芳香族化合物、アルコキシ置換モノ−およびビス−アミノ置換芳香族化合物、ジアルキルアミノ置換モノ−およびビス−アミノ置換芳香族化合物、チオアルコキシ置換モノ−およびビス−アミノ置換芳香族化合物、およびそれらの組合せ；（ｉｉ）アミノ置換のナフタレン、アントラセン、ピリジン、ピリミジン、メラミン、キノリン、フラン、ピロール、オキサゾール、イミダゾール、チオフェン、トリアジン、アズレン、ベンズイミダゾール、およびそれらの組合せ；ならびに（ｉｉｉ）ｏ−アニシジン、ｐ−アニシジン、ｍ−アニシジン、４''，４'''−（ヘキサフルオロイソプロピリデン）−ビス（４−フェノキシアニリン）、４−フェノキシアニリン、３，４，５−トリメトキシアニリン、２，２−ビス（４−アミノフェニル）ヘキサフルオロプロパン、４−アミノ−２，６−ジクロロフェノキシド塩、およびそれらの組合せ、から選択される、請求項１に記載の組成物。
【請求項８】
（ａ）ニトリル硬化部位モノマーから誘導された共重合単位を含むフルオロポリマーを提供する工程と、
（ｂ）水素以外の１つの置換基を有するアミノ置換芳香族硬化化合物であって、水素に直接結合しているヘテロ原子を含まない前記置換基が該アミノ基のオルト位にあり、該置換基の正味効果が電子求引性ではなく、該硬化剤が約１２より上のｐＫａを有し、該化合物が１つのヘテロ原子を含有してもよく、そして１つもしくはそれ以上の置換基が一緒になって、芳香族であってもよい、かつ、１つの環ヘテロ原子を含んでもよい環を形成してもよい化合物を提供する工程と、
（ｃ）該フルオロポリマーを該硬化剤とブレンドする工程と
を含むフルオロポリマー組成物の製造方法。
【請求項９】
前記混合物を造形して造形混合物を製造する工程および造形混合物を硬化させる工程をさらに含み、場合により、前記硬化混合物を後硬化して硬化混合物を製造する工程をさらに含み、場合により、前記硬化混合物を熱老化する工程を含む、請求項８に記載の方法
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
二酸化チタンと有機樹脂との混合物を粒状形で含有してなる粉末被覆組成物において二酸化チタン用の増量剤としてゼオライトの使用であって、該ゼオライトは800℃で１時間加熱することにより測定すると９重量％以下の水を含有している、ゼオライトの使用。
【請求項２】
ゼオライトと有機樹脂との混合物を粒状形で含有してなる組成物において、該有機樹脂は可塑化したポリ（塩化ビニル）、ポリアミド、ポリ（フッ化ビニリデン）、エポキシ樹脂、ポリエステル樹脂、混成のエポキシ−ポリエステル樹脂、ウレタン樹脂又はアクリル樹脂であり、該ゼオライトは800℃で１時間加熱することにより測定すると9重量％以下の水を含有している、組成物。
【請求項３】
ゼオライトはゼオライトＡ又はゼオライトＰであることを特徴とする請求項１又は２記載の使用又は組成物。
【請求項４】
ゼオライトは800℃で１時間加熱することにより測定すると７重量％以下の水を含有することを特徴とする請求項１〜３の何れかに記載の使用又は組成物。
【請求項５】
ゼオライトは105℃で４時間加熱した後には２重量％以下の水減損を有することを特徴とする請求項１〜４の何れかに記載の使用又は組成物。
【請求項６】
ゼオライトは0.5μｍ〜6.0μｍの範囲の重量平均粒度を有することを特徴とする請求項１〜５の何れかに記載の使用又は組成物。
【請求項７】
組成物は10〜40重量％の顔料二酸化チタンを更に含有することを特徴とする請求項１〜６の何れかに記載の使用又は組成物。
【請求項８】
存在するゼオライトの量は組成物の20重量％以下であることを特徴とする請求項７記載の使用又は組成物。
【請求項９】
組成物は更に有色顔料と2〜20重量％の顔料二酸化チタンとを含有することを特徴とする請求項１〜６の何れかに記載の使用又は組成物。
【請求項１０】
組成物中に存在するゼオライトの量は組成物の0.5〜8重量％であることを特徴とする請求項９記載の使用又は組成物。
【請求項１１】
組成物の粒子は10〜75μmの範囲の平均寸法を有することを特徴とする請求項１〜１０の何れかに記載の使用又は組成物。
【請求項１２】
組成物の粒子は40〜200μmの範囲の平均寸法を有することを特徴とする請求項１〜１１の何れかに記載の使用又は組成物。
【請求項１３】
有機樹脂は可塑化したポリ（塩化ビニル）、ポリアミド、ポリオレフィン、ポリ（フッ化ビニリデン）、エポキシ樹脂、ポリエステル樹脂、混成のエポキシ−ポリエステル樹脂、ウレタン樹脂又はアクリル樹脂である請求項１記載の使用。
【請求項１４】
有機樹脂とゼオライトとの緊密な混合物を形成することからなる組成物の製造方法において、該有機樹脂は可塑化したポリ（塩化ビニル）、ポリアミド、ポリ（フッ化ビニリデン）、エポキシ樹脂、ポリエステル樹脂、混成のエポキシ−ポリエステル樹脂、ウレタン樹脂又はアクリル樹脂であり、該ゼオライトは800℃で１時間加熱することにより測定すると9重量％以下の水を含有している、組成物の製造方法。
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
腫瘍の治療のための医薬を調製するための４−〔６−（ジエチルアミノメチル）ナフト−２−イルメチルオキシカルバモイル〕ベンゾヒドロキサム酸、またはその許容可能な塩の使用方法。
【請求項２】
前記腫瘍は、黒色腫、大腸癌、肺癌、胸部癌、神経芽細胞腫、肉腫、白血病から選択されることを特徴とする請求項１に記載の使用方法。
【請求項３】
前記白血病は、赤白血病および前骨髄球性白血病から選択されることを特徴とする請求項２に記載の使用方法。
【請求項４】
４−〔６−（ジエチルアミノメチル）ナフト−２−イルメチルオキシカルバモイル〕ベンゾヒドロキサム酸またはその許容可能な塩は、他の抗腫瘍の薬と組み合せて投与されることを特徴とする請求項１から３に記載の使用方法。
【請求項５】
４−〔６−（ジエチルアミノメチル）ナフト−２−イルメチルオキシカルバモイル〕ベンゾヒドロキサム酸、またはその許容可能な塩を含有することを特徴とする腫瘍治療用医薬組成物。
【請求項６】
前記腫瘍は、黒色腫、大腸癌、肺癌、胸部癌、神経芽細胞腫、肉腫、白血病から選択されることを特徴とする請求項５に記載の治療用医薬組成物。
【請求項７】
前記白血病は、赤白血病および前骨髄球性白血病から選択されることを特徴とする請求項６に記載の治療用医薬組成物。
【請求項８】
４−〔６−（ジエチルアミノメチル）ナフト−２−イルメチルオキシカルバモイル〕ベンゾヒドロキサム酸またはその許容可能な塩は、他の抗腫瘍の薬と組み合せて投与されることを特徴とする請求項５から７のいずれかに記載の治療用医薬組成物。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
約5重量％〜約22重量％のヒドロキシエチルデンプン（HES）またはその誘導体と約1重量％〜約15重量％のDMSOとを含む凍結保護媒体中に組換え生癌細胞を含んでなる組成物。
【請求項２】
約0重量％〜約10重量％のヒト血清アルブミン（HSA）を更に含む、請求項1記載の組成物。
【請求項３】
約8重量％のHES、約2重量％のHSA及び約5重量％のDMSOを含む凍結保護媒体中に組換え生癌細胞を含んでなる組成物。
【請求項４】
約5重量％〜約22重量％のヒドロキシエチルデンプン（HES）またはその誘導体と、約1重量％〜約15重量％のグリセロールを含む凍結保護媒体中に組換え生癌細胞を含み、約0重量％〜約10重量％のヒト血清アルブミン（HSA）を更に含んでなる組成物。
【請求項５】
約8重量％のHES、約2重量％のHSA、及び約5重量％のグリセロールを含む凍結保護媒体中に組換え生癌細胞を含んでなる組成物。
【請求項６】
HESが、
（a）約0.60〜0.80の分子置換度でヒドロキシエチル基によりエーテル化されたHES、
（b）約0.40〜0.60の分子置換度でヒドロキシエチル基によりエーテル化されたHES、または（a）および（b）の組合せを含む、請求項1〜5のいずれかに記載の組成物。
【請求項７】
HESが、
（a）約0.70の分子置換度でヒドロキシエチル基によりエーテル化されたHES、
（b）0.4〜約0.5の分子置換度でヒドロキシエチル基によりエーテル化されたHES、または（a）および（b）の組合せを含む、請求項6記載の組成物。
【請求項８】
HESが、
（a）約420〜約480kDaの分子量を有するHES、
（b）約200〜約290kDaの分子量を有するHES、
または（a）および（b）の組合せを含む、請求項1〜7のいずれかに記載の組成物。
【請求項９】
組換え生癌細胞が、サイトカインまたは共刺激分子の、導入された異種核酸コード配列を含む、請求項1〜8のいずれかに記載の組成物。
【請求項１０】
サイトカインが顆粒球-マクロファージコロニー刺激因子（GM-CSF）である、請求項9記載の組成物。
【請求項１１】
該癌細胞が、肺癌細胞、膵癌細胞、前立腺癌細胞、腎癌細胞、骨髄腫細胞および白血病細胞よりなる群から選ばれる、請求項1〜10のいずれかに記載の組成物。
【請求項１２】
組換え生癌細胞組成物が、患者由来の腫瘍細胞を含む、請求項1〜11のいずれかに記載の組成物。
【請求項１３】
組換え生癌細胞が自己細胞、同種異系細胞、またはバイスタンダー細胞である、請求項12記載の組成物。
【請求項１４】
複数の組換え生癌細胞を得て、その複数の組換え生癌細胞を濃縮し、請求項1〜8のいずれかに記載の凍結保護媒体に、該組換え生癌細胞を懸濁させて懸濁液を得、該懸濁液を極低温凍結状態にまで凍結して凍結懸濁液を得ることを含んでなり、該懸濁液を液体状態にまで解凍した後に、該組換え生癌細胞の少なくとも約60％が依然として生存可能であることを特徴とする、組換え生癌細胞の生存度を維持するための方法。
【請求項１５】
該癌細胞が、肺癌細胞、膵癌細胞、前立腺癌細胞、腎癌細胞、骨髄腫細胞および白血病細胞よりなる群から選ばれる、請求項14記載の方法。
【請求項１６】
凍結の前または極低温凍結状態の組換え生癌細胞に放射線照射することを更に含む、請求項15記載の方法。
【請求項１７】
凍結される懸濁液を約-200℃〜約-35℃の温度で凍結する、請求項14、15又は16に記載の方法。
【請求項１８】
組換え生癌細胞がバイスタンダー細胞であり、該方法が、凍結懸濁液を解凍して解凍懸濁液を得、患者由来の腫瘍細胞を準備し、該解凍懸濁液を、その患者由来の腫瘍細胞と混合して、対象に投与するのに適した混合懸濁液を得ることを更に含む、請求項14〜17のいずれかに記載の方法。
【請求項１９】
患者由来の腫瘍細胞が、放射線照射された腫瘍細胞からなる、請求項18記載の方法。
【請求項２０】
請求項15、17又は18に記載の方法により製造され凍結または解凍された懸濁液。
【請求項２１】
請求項1〜14のいずれかに記載の組成物または請求項15〜20のいずれかに従って製造された懸濁液の使用。
【請求項２２】
該組成物を解凍して洗浄しない、請求項21記載の使用。
【請求項２３】
複数の組換え生癌細胞が自己または同種異系細胞であり、顆粒球-マクロファージコロニー刺激因子（GM-CSF）の、導入された異種核酸コード配列を更に含む、請求項21または請求項22記載の使用。
【請求項２４】
請求項1、５、６又は７に示した約5重量％〜約22重量％のヒドロキシエチルデンプン（HES）またはその誘導体を単独で、あるいは約1重量％〜約15重量のDMSO、約0％〜約10％のヒト血清アルブミン（HSA）と組み合わせて凍結保護媒体を含有する容器と、細胞生存度を維持するための該凍結保護媒体の使用を示す説明部材とを含んでなる、細胞生存度を維持するためのキット。
【請求項２５】
請求項1、５、６又は７に示した約5重量％〜約22重量％のヒドロキシエチルデンプン（HES）又はその誘導体、約3重量％〜約15重量のグリセロール、約0％〜約10％のヒト血清アルブミン（HSA）を含む凍結保護媒体を含有する容器と、細胞生存度を維持するための該凍結保護媒体の使用を示す説明部材とを含んでなる、細胞生存度を維持するためのキット。
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
ＷＴＡと特異的に結合する抗体もしくはそれらのフラグメント、または、それらの組合わせの治療有効量を含む医薬組成物であって、前記抗体もしくはそれらのフラグメントは、患者へ投与されるとブドウ球菌の定着を緩和またはブロックする、前記組成物。
【請求項２】
前記組成物は、ＷＴＡと特異的に結合するモノクローナルまたはポリクローナル抗体を含む、請求項１に記載の医薬組成物。
【請求項３】
前記組成物は、ＷＴＡと特異的に結合するキメラ、ヒト化、または、ヒト抗体を含む、請求項１に記載の医薬組成物。
【請求項４】
前記フラグメントは、Ｆａｂ、Ｆａｂ’、Ｆ（ａｂ’）2、Ｆｖ、ＳＦｖ、および、ｓｃＦｖから選択される、請求項１に記載の医薬組成物。
【請求項５】
可溶性型のＷＴＡ全体もしくはそれらのフラグメント、または、それらの組合わせの治療有効量を含む医薬組成物であって、前記ＷＴＡ、または、それらのフラグメント、または、それらの組合わせは、患者へ投与されるとブドウ球菌の定着を緩和またはブロックする、前記組成物。
【請求項６】
前記定着は、局所的感染、全身感染および異物の汚染から選択されるブドウ球菌感染を引き起こす、請求項１または５に記載の医薬組成物。
【請求項７】
前記ブドウ球菌の定着は、Ｓ．アウレウス（Ｓｔａｐｈｙｌｏｃｏｃｃｕｓ  ａｕｒｅｕｓ）感染を引き起こす、請求項１または５に記載の医薬組成物。
【請求項８】
（ａ）請求項１または５に記載の医薬組成物；および、（ｂ）製薬上許容できるキャリアーを含むワクチン。
【請求項９】
前記定着は、局所的感染、全身感染および異物の汚染から選択されるブドウ球菌感染を引き起こす、請求項８に記載のワクチン。
【請求項１０】
前記ブドウ球菌の定着は、Ｓ．アウレウス感染を引き起こす、請求項８に記載のワクチン。
【請求項１１】
構築の際にｔａｇＯ遺伝子が不活性化される、単離された構築されたＷＴＡ欠失Ｓ．アウレウス生物。
【請求項１２】
ΔｔａｇＯである、請求項１１に記載の単離されたＳ．アウレウス生物。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
被験者のマンモグラフィー感度を上げる方法であって、
４−ヒドロキシタモキシフェンを経皮投与するステップを含む方法。
【請求項２】
マンモグラフィーを実施する方法であって、
前もって４−ヒドロキシタモキシフェンを経皮投与された被験者にマンモグラフィーを実施するステップを含む方法。
【請求項３】
被験者の分類ＩＩＩまたは分類ＩＶの高密度乳房組織の乳房密度を低下させる方法であって、
４−ヒドロキシタモキシフェンを経皮投与することを含む方法。
【請求項４】
前記４−ヒドロキシタモキシフェンが水性アルコールゲルに製剤されている請求項１〜３のいずれかに記載の方法。
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
高出力密度デバイス（２２０）を冷却するためのターボ機械システム（２００）であって、
高フラックス冷却媒体を供給するように構成された、電動機（３１２）と該電動機（３１２）によって駆動される圧縮機（３４０）とを有するターボ機械（３００）と、
前記電動機（３１２）及び前記圧縮機（３４０）の少なくとも１つを収容し、空気流用の通路と、第１の端部にある前記空気流を受け入れるための入口（３４５）と、第２の端部にある前記空気流を排出するための出口（３３５）とを有するハウジング（３０５）と、
前記ターボ機械（３００）と流体連通し、且つ前記高出力密度デバイス（２２０）に熱的に結合されるよう配置された熱交換器（２３０）と、
前記熱交換器（２３０）から前記ターボ機械（３００）まで前記空気流を漏斗状に流すために、前記熱交換器（２３０）と前記入口（３４５）の中間に配置された移行ダクト（２４０）と、
を備えるターボ機械システム（２００）。
【請求項２】
前記熱交換機（２３０）が、複数の相互接続された流路（１０３５）を有する多孔質媒体（１０３０）を含む請求項１に記載のシステム。
【請求項３】
前記流路（１０３５）が、連続気泡金属又は非金属発泡体を含む請求項２に記載のシステム。
【請求項４】
高出力密度デバイス（２２０）を冷却するための方法であって、
ターボ機械（３００）を用いて、複数の相互接続された流路（１０３５）を有し、前記高出力密度デバイス（２２０）に熱的に結合されるよう配置された多孔質媒体（１０３０）を介して空気を引き出す段階と、
１Ｕ以下の全体寸法を有するターボ機械（３００）のターボ圧縮機（３４０）で前記空気を圧縮する段階と、
前記引き出されて圧縮された空気を排出する段階と、
を含む方法。
【請求項５】
前記ターボ機械（３００）で発生したノイズを感知する段階と、
前記ターボ機械（３００）で発生したノイズを少なくとも部分的に相殺するために前記感知されたノイズに応答して位相シフトされた音波を発生する段階と、
を更に含む請求項４に記載の方法。
【請求項６】
前記ノイズを感知する段階が、前記ターボ機械（３００）の排出時のノイズを感知する段階を含み、
前記位相シフトされた音波を発生する段階が、前記ターボ機械（３００）の排出時に位相シフトされた音波を発生する段階を含む請求項５に記載の方法。
【請求項７】
高出力密度デバイス（２２０）を冷却するための方法であって、
ターボ機械（３００）を用いて、前記高出力密度デバイス（２２０）に熱的に結合されるよう配置された熱交換機（２３０）を介して空気を引き出す段階と、
１Ｕ以下の全体寸法を有するターボ機械（３００）のターボ圧縮機（３４０）で前記空気を圧縮する段階と、
前記ターボ機械（３００）で発生したノイズを感知する段階と、
前記ターボ機械（３００）で発生したノイズを少なくとも部分的に相殺するために前記感知されたノイズに応答して位相シフトされた音波を発生する段階と、
前記引き出され、圧縮され、ノイズ低減された空気を排出する段階と、
を含む方法。
【請求項８】
前記感知されたノイズを表す入力信号を制御回路（１０１０）で受け取り、前記入力信号から位相シフトされた出力信号を該制御回路で発生する段階と、
前記出力信号をノイズ発生回路（１０１５）に送り、前記感知されたノイズに対して位相シフトされた音波を発生する段階と、
を更に含む請求項７に記載の方法。
【請求項９】
高出力密度デバイス（２２０）を冷却するためのターボ機械システム（２００）であって、
前記高出力密度デバイス（２２０）に向けて高フラックス冷却媒体を供給するように構成され、電動機（３１２）と該電動機（３１２）によって駆動される圧縮機（３４０）とを有するターボ機械（３００）と、
前記ターボ機械（３００）と流体連通し、且つ前記高出力密度デバイス（２２０）に熱的に結合されるよう配置された多孔性熱交換機（１０３０）と、
前記ターボ機械（３００）で発生するノイズを感知するよう配置された音響センサ（１００５）と、
前記音響センサ（１００５）に応答し、且つ前記ターボ機械（３００）で発生するノイズを少なくとも部分的に相殺するよう配置されたノイズ発生装置（１０１５）と、
を備えるシステム。
【請求項１０】
前記高フラックス冷却媒体が、空気、冷媒、又はこれらの少なくとも１つを含む組み合わせを含む請求項９に記載のシステム。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
膣液サンプルから羊膜内環境の状態を示す少なくとも２つのバイオマーカーの存在を検出するためのキットであって、（ａ）分析のために質量分析計に挿入するのに適した基材、（ｂ）膣液サンプルを該基材に塗布して、該基材を質量分析に供するための説明書を備える、キット。
【請求項２】
前記基材がバイオチップである、請求項１に記載のキット。
【請求項３】
前記バイオチップが疎水性吸着材およびカチオン交換吸着材から選択される少なくとも１つの吸収材を含む、請求項２に記載のキット。
【請求項４】
前記バイオチップが抗ジニトロフェノール吸収材を備える、請求項２に記載のキット。
【請求項５】
別の容器内に、標準として使用される純粋形態のある量のバイオマーカーをさらに備える請求項１に記載のキット。
【請求項６】
未結合物質を前記基材から除去するための洗浄溶液を含む、請求項５に記載のキット。
【請求項７】
膣液サンプルから羊膜内環境の状態を示す少なくとも１つの酸化ペプチドまたはカルボニル化ペプチドの存在を検出するためのキットであって、（ａ）ペプチドに結合する基材と、（ｂ）膣液サンプルを該基材に塗布して、該基材を分析に供するための説明書とを含む、キット。
【請求項８】
ＥＬＩＳＡ基材を含む、請求項７に記載のキット。
【請求項９】
分析のために質量分析計への挿入に適した基材を備える、請求項７に記載のキット。
【請求項１０】
別の容器に、標準として使用される純粋形態のある量の酸化ペプチドまたはカルボニル化ペプチドをさらに備える、請求項７に記載のキット。
【請求項１１】
未結合物質を前記基材から除去するための洗浄溶液を備える、請求項１０に記載のキット。
【請求項１２】
膣液中に存在し、羊膜内環境の状態を示すバイオマーカーを同定する方法であって：
（ａ）質量分光分析によって膣液サンプルをプロファイリングする工程、
（ｂ）質量分光分析によって羊水のサンプルをプロファイリングする工程、ならびに
（ｃ）（ａ）および（ｂ）で得たプロファイルを比較して、羊水にも見出される膣液中のバイオマーカーを同定する工程、
を包含する方法。
【請求項１３】
臨床状態に、羊水にも見出される膣液中のバイオマーカーの存在または非存在を相関させる工程をさらに包含する、請求項１２に記載の方法。
【請求項１４】
前記臨床状態が胚膜の破裂である、請求項１３に記載の方法。
【請求項１５】
前記臨床状態が羊膜内感染である、請求項１３に記載の方法。
【請求項１６】
前記臨床状態が羊膜内炎症である、請求項１３に記載の方法。
【請求項１７】
膣液中に存在し、羊膜内環境の状態を示すバイオマーカーを同定する方法であって：
（ａ）正常妊娠を有する被験体からの第一の膣液サンプルを、質量分光分析によってプロファイリングする工程、
（ｂ）異常な臨床状態を特徴とする妊娠を有する被験体からの第二の膣液サンプルを、質量分光分析によってプロファイリングする工程、ならびに
（ｃ）膣液中のバイオマーカーの存在または非存在を、妊娠の臨床状態に相関させる工程、
を包含する方法。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
造影成分で標識された合成ＭＳＲＡ拮抗薬を含んでなる造影剤であって、合成ＭＳＲＡ拮抗薬が次の式（II）のスルホンアミドベンズアミド化合物であり、造影成分が該標識合成ＭＳＲＡ拮抗薬の哺乳類生体内への投与後に外部から非侵襲的に検出できる、造影剤。
【化１】
2006514945.tif 000001
式中、ｚは０、１又は２であり、
Ｒ1〜Ｒ14は独立にＲ基であって、Ｒは水素、ヒドロキシ、カルボキシ、Ｃ1-6アルキル、ニトロ、シアノ、アミノ、ハロゲン、Ｃ6-14アリール、Ｃ2-7アルケニル、Ｃ2-7アルキニル、Ｃ1-6アシル、Ｃ7-15アロイル、Ｃ2-7カルボアルコキシ、Ｃ2-15カルバモイル、Ｃ2-15カルバミル、Ｃ1-6アルキスルフィニル、Ｃ6-14アリールスルフィニル、Ｃ6-12アリールアルキルスルフィニル、Ｃ1-6アルキルスルホニル、Ｃ6-14アリールスルホニル、Ｃ6-12アリールアルキルスルホニル、スルファミル、Ｃ6-14アリールスルホンアミド又はＣ1-6アルキルスルホンアミドである。
【請求項２】
各Ｒ1〜Ｒ14が造影成分、水素、Ｃ1-6アルキル、ヒドロキシ、カルボキシ、アミノ又はハロゲンから選択される、請求項１記載の造影剤。
【請求項３】
式（II）のＲ2、Ｒ3、Ｒ7、Ｒ8及びＲ12の１つが造影成分であり、残りのＲ2、Ｒ3、Ｒ7、Ｒ8及びＲ12基が独立に水素、Ｃ1-6アルキル、カルボキシ又は塩素、臭素、フッ素もしくはヨウ素から選択されるハロゲンから選択される、請求項１又は請求項２記載の造影剤。
【請求項４】
Ｒ3、Ｒ8及びＲ12が各々独立に塩素、臭素、フッ素又はヨウ素から選択されるハロゲンである、請求項１乃至請求項３のいずれか１項記載の造影剤。
【請求項５】
造影成分が以下の（ｉ）〜（vii）から選択される、請求項１乃至請求項４のいずれか１記載の造影剤。
（ｉ）放射性金属イオン、
（ii）常磁性金属イオン、
（iii）γ放出型放射性ハロゲン、
（iv）陽電子放出型放射性非金属、
（ｖ）過分極ＮＭＲ活性核種、
（vi）インビボ光学イメージングに適したレポーター、
（vii）血管内検出に適したβ放出体。
【請求項６】
放射性金属イオンがγ放出体又は陽電子放出体である、請求項５記載の造影剤。
【請求項７】
γ放出型放射性ハロゲンがヨウ素の放射性同位体である、請求項５記載の造影剤。
【請求項８】
陽電子放出型放射性非金属が11Ｃ、13Ｎ、15Ｏ、17Ｆ、18Ｆ、124Ｉ、75Ｂｒ及び75Ｂｒから選択される、請求項５記載の造影剤。
【請求項９】
造影成分が放射性又は常磁性金属イオンであって、該金属イオンが金属錯体の一部としてＭＳＲＡ拮抗薬に結合して次の式（III）のコンジュゲートを形成する、請求項５又は請求項６記載の造影剤。
［｛ＭＳＲＡ拮抗薬｝−（Ｌ）x］y−［金属錯体］            （III）
式中、−（Ｌ）x−はリンカー基であって、各Ｌは独立に−ＣＺ2−、−ＣＺ＝ＣＺ−、−Ｃ≡Ｃ−、−ＣＺ2ＣＯ2−、−ＣＯ2ＣＺ2−、−ＮＺＣＯ−、−ＣＯＮＺ−、−ＮＺ（Ｃ＝Ｏ）ＮＺ−、−ＮＺ（Ｃ＝Ｓ）ＮＺ−、−ＳＯ2ＮＺ−、−ＮＺＳＯ2−、−ＣＺ2ＯＣＺ2−、−ＣＺ2ＳＣＺ2−、−ＣＺ2ＮＺＣＺ2−、Ｃ4-8シクロヘテロアルキレン基、Ｃ4-8シクロアルキレン基、Ｃ5-12アリーレン基、Ｃ3-12ヘテロアリーレン基、アミノ酸又は単分散ポリエチレングリコール（ＰＥＧ）構築ブロックであり、
Ｚは独立にＨ、Ｃ1-4アルキル、Ｃ2-4アルケニル、Ｃ2-4アルキニル、Ｃ1-4アルコキシアルキル又はＣ1-4ヒドロキシアルキルから選択され、
ｘは０〜１０の整数であり、
ｙは１、２又は３である。
【請求項１０】
次の式（IIIａ）の造影剤前駆体。
［｛ＭＳＲＡ拮抗薬｝−（Ｌ）x］y−［配位子］          （IIIａ）
式中、−（Ｌ）x−はリンカー基であって、Ｌは請求項９で定義した通りであり、
ｘは０〜１０の整数であり、
ｙは１、２又は３である。
【請求項１１】
請求項１乃至請求項９のいずれか１記載の造影剤を生体適合性の担体と共に哺乳類への投与に適した形態で含んでなる、医薬組成物。
【請求項１２】
請求項１乃至請求項９のいずれか１記載の造影剤の前駆体を含んでなる、請求項１１記載の医薬組成物の調製用キット。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
４−ヒドロキシタモキシフェンを含む乳房痛の治療のための医薬。
【請求項２】
経皮投与に好適な形態のものである請求項１に記載の医薬。
【請求項３】
前記４−ヒドロキシタモキシフェンが浸透促進剤を含む媒体中のものである請求項１または２に記載の医薬。
【請求項４】
前記４−ヒドロキシタモキシフェンがアルコール溶液に製剤されている請求項１〜３のいずれかに記載の医薬。
【請求項５】
前記４−ヒドロキシタモキシフェンが水性アルコールゲルに製剤されている請求項１〜４のいずれかに記載の医薬。
【請求項６】
前記水性アルコールゲルがエチルアルコール、ミリスチン酸イソプロピルおよびヒドロキシプロピルセルロースを含む請求項５に記載の医薬。
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
下記式１の化合物を１以上含む、マスト細胞からのヒスタミンのサブスタンスP誘導性放出によって引き起こされる疾患又は症状を予防又は治療するための医薬組成物。
【化１】
2006514931.tif 000001
(前記化合物又はその混合物中の各化合物について、式中、
m = 0、1、2又は3であり、
p = 0、1又は2であり、
n = 0、1又は2であり、
但し、n = 1又は2の場合、p + mの合計は0より大きく、
n = 1又は2の場合、そのいずれの場合もR1及びR2は対であって、Hを表すか又は一緒になって更なる化学結合を表し;
m = 1、2又は3の場合、Xは各々独立であって、OH、O-アルキル又はO-アシルを表し、
p = 1又は2の場合、Yは各々独立であって、OH、O-アルキル又はO-アシルを表し、
但し、p + m が0より大きい場合、X又はYは少なくとも一度はOH及びO-アシルからなる群より選ばれ; 
R3 = H又はアルキルである。)
【請求項２】
式１の１以上の化合物が植物抽出物の成分の形態で含まれており、前記植物抽出物が後処理されていてもよい、請求項１記載の医薬組成物。
【請求項３】
植物抽出物が、アベナ属、ダイアンサス属、シレネ属又はメランドリウム属の植物由来の抽出物である、請求項２記載の医薬組成物。
【請求項４】
請求項１に示されている式１の１以上の化合物を含む、痒み(そう痒症)、皮膚発赤、みみずばれの発生若しくはアレルギー性皮膚反応を治療若しくは予防するための医薬組成物。
【請求項５】
式１の１以上の化合物が植物抽出物の成分の形態で含まれており、前記植物抽出物が後処理されていてもよい、請求項４記載の医薬組成物。
【請求項６】
植物抽出物が、アベナ属、ダイアンサス属、シレネ属又はメランドリウム属の植物由来の抽出物である、請求項５記載の医薬組成物。
【請求項７】
下記化合物からなる群より選択される、請求項１に示されている式１の化合物。
【化２】
2006514931.tif 000002
【化３】
2006514931.tif 000003
【化４】
2006514931.tif 000004
【請求項８】
下記化合物からなる群より選択される、請求項１に示されている式１の化合物。
【化５】
2006514931.tif 000005
【化６】
2006514931.tif 000006
【化７】
2006514931.tif 000007
【請求項９】
請求項７又は８記載の化合物を１以上含む医薬組成物。
【請求項１０】
請求項７又は８記載の化合物を１以上含む化粧用組成物。
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
ヒトまたは他の哺乳類における糖尿病の制御および低血糖の予防に治療上有効な量のインスリンおよびグルカゴンを含む薬学的処方物。
【請求項２】
ヒトまたは他の哺乳類において糖尿病を処置するための薬学的処方物であって、糖尿病の制御に治療上有効な量のインスリンおよび低血糖の予防に治療上有効な量のグルカゴンを組み合わせることによって処方され、該インスリンおよびグルカゴンは、互いに１２時間以内に投与されることが意図される、薬学的処方物。
【請求項３】
前記インスリンとグルカゴンが別々に投与される、請求項２に記載の薬学的処方物。
【請求項４】
インスリンとグルカゴンが、互いに１分から４時間以内に投与される、請求項２に記載の薬学的処方物。
【請求項５】
インスリンで処置されており、低血糖症状を患っていない糖尿病患者において、低血糖を予防するための薬学的処方物であって、低血糖の予防に治療上有効な量のグルカゴン含む、薬学的処方物。
【請求項６】
前記グルカゴンが、前記患者が最後にインスリンを投与されると同時、あるいは投与後１分から４時間以内での投与に適している、請求項５に記載の薬学的処方物。
【請求項７】
インスリンとグルカゴンの両方を含有する注入ポンプ。
【請求項８】
前記インスリンが、非経口投与に適しており、前記グルカゴンが、経口投与、眼投与、経鼻投与、肺投与、非経口投与、および経皮投与からなる群から選択される投与経路による投与に適している、請求項２に記載の薬学的処方物。
【請求項９】
前記グルカゴンが、経皮投与に適している、請求項８に記載の薬学的処方物。
【請求項１０】
前記グルカゴンが、より長い作用持続時間を有するグルカゴンである、請求項８に記載の薬学的処方物。
【請求項１１】
前記処方物が、同時投与に適しているインスリンとグルカゴンの両方を含む、請求項２に記載の薬学的処方物。
【請求項１２】
前記グルカゴンが、リポソーム処方物に含有されるのに適している、請求項８に記載の薬学的処方物。
【請求項１３】
前記グルカゴンが、マイクロスフェアに含有されるのに適している、請求項８に記載の薬学的処方物。
【請求項１４】
前記インスリンが、非経口投与、経口投与、眼投与、経鼻投与、肺投与、および経皮投与からなる群から選択される投与経路による投与に適しており、前記グルカゴンが、非経口投与、経口投与、眼投与、経鼻投与、肺投与、および経皮投与からなる群から選択される投与経路による投与に適している、請求項２に記載の薬学的処方物。
【請求項１５】
前記インスリンと前記グルカゴンの両方が、非経口投与に適している、請求項１４に記載の薬学的処方物。
【請求項１６】
前記インスリンおよび前記グルカゴンが、患者への薬物の投与を制御するポンプに含有されるのに適している、請求項１５に記載の薬学的処方物。
【請求項１７】
インスリンで処置されている糖尿病患者においてインスリン誘発性低血糖の危険性を低下させるための薬学的処方物であって、グルカゴンの基礎補充用量を含み、該グルカゴンは、低血糖症状を患っていない患者への投与に適している、薬学的処方物。
【請求項１８】
前記グルカゴンが、前記患者がインスリンを投与されると同時、または投与後１分から４時間以内に投与されることが意図される、請求項１７に記載の薬学的処方物。
【請求項１９】
前記グルカゴンが、皮下経路、筋肉内経路、または静脈内経路による非経口投与に適している、請求項１７に記載の薬学的処方物。
【請求項２０】
前記患者が、７０ｍｇ／ｄＬ〜１１０ｍｇ／ｄＬの血中グルコースレベルを有する、請求項１７に記載の薬学的処方物。
【請求項２１】
前記グルカゴンが、より長い作用持続時間を有するグルカゴンである、請求項１９に記載の薬学的処方物。
【請求項２２】
前記グルカゴンが、リポソーム処方物に含有されるのに適している、請求項１９に記載の薬学的処方物。
【請求項２３】
前記グルカゴンが、マイクロスフェアに含有されるのに適している、請求項１９に記載の薬学的処方物。
【請求項２４】
前記グルカゴンの基礎補充用量が、少なくとも０．１ｎｇ／ｋｇ／分、多くて３．００ｎｇ／ｋｇ／分の速度でのグルカゴンの静脈内注入によって達成される範囲で血漿グルカゴンレベルを生じる、請求項１７に記載の薬学的処方物。
【請求項２５】
前記グルカゴンが、毎日就寝前に投与されることが意図される、請求項１７に記載の薬学的処方物。
【請求項２６】
前記患者が、少なくとも５０ｍｇ／ｄＬの血中グルコースレベルを有する、請求項１７に記載の薬学的処方物。
【請求項２７】
インスリンで処置されている糖尿病患者においてインスリン誘発性低血糖の危険性を低下させるための薬学的処方物であって、糖尿病処置レジメンの一部としてグルカゴンを含み、該グルカゴンは、毎日就寝前に投与されることが意図され、該患者は低血糖症状を患っていない、薬学的処方物。
【請求項２８】
前記患者が、７０ｍｇ／ｄＬ〜１１０ｍｇ／ｄＬの血中グルコースレベルを有する、請求項２７に記載の薬学的処方物。
【請求項２９】
前記患者が、少なくとも５０ｍｇ／ｄＬの血中グルコースレベルを有する、請求項２７に記載の薬学的処方物。
【請求項３０】
投与されるグルカゴンの用量が、少なくとも０．１０ｎｇ／ｋｇ／分、多くて５．００ｎｇ／ｋｇ／分の速度でのグルカゴンの静脈内注入によって達成される範囲で血漿グルカゴンレベルを生じる、請求項２７に記載の薬学的処方物。
【請求項３１】
投与されるグルカゴンの用量が、少なくとも０．１０ｎｇ／ｋｇ／分、多くて３．００ｎｇ／ｋｇ／分の速度でのグルカゴンの静脈内注入によって達成される範囲で血漿グルカゴンレベルを生じる、請求項３０に記載の薬学的処方物。
【誤訳訂正書】
【提出日】平成18年11月27日(2006.11.27)
【誤訳訂正１】
【訂正対象書類名】特許請求の範囲
【訂正対象項目名】請求項５
【訂正方法】変更
【訂正の内容】
【請求項５】
従来のＳＳＲＩによる初期治療に応答しない患者の治療を含む、うつ病、神経症（全般性不安障害、社会不安障害、強迫性障害、心的外傷後ストレス障害、パニック障害を含むパニック発作、社会恐怖、特定の恐怖症（specific phobias）、広場恐怖症）、急性ストレス障害、および過食症、食欲不振症のような摂食障害、肥満症、気分変調、月経前症候群、認知障害、衝動制御障害、注意欠陥多動性障害および薬物乱用（drug abuse）の治療のための薬学的調合物の製造において、請求項１から３のいずれか１つに記載の臭化水素酸エスシタロプラムを使用する方法。
【誤訳訂正２】
【訂正対象書類名】明細書
【訂正対象項目名】００２１
【訂正方法】変更
【訂正の内容】
【００２１】
さらにまた、本発明は、従来のＳＳＲＩによる初期治療に応答しない患者の治療を含む、うつ病、神経症（全般性不安障害、社会不安障害、強迫性障害、心的外傷後ストレス障害、パニック障害を含むパニック発作、社会恐怖、特定の恐怖症（specific phobias）、広場恐怖症）、急性ストレス障害、および過食症、食欲不振症のような摂食障害、肥満症、気分変調、月経前症候群、認知障害、衝動制御障害、注意欠陥多動性障害および薬物乱用（drug abuse）の治療のための薬学的調合物の製造において、請求項１または２記載の臭化水素酸エスシタロプラムを使用する方法に関する。